(57)【特許請求の範囲】
【請求項１】
水平偏向用のドライブパルスを発生する水平偏向パルス発生手段と、
前記水平偏向パルス発生手段により発生された水平偏向パルスに基づいて水平偏向信号を出力する水平偏向出力回路と、
前記水平偏向出力回路に高電圧を供給する水平偏向用電源と、
前記水平偏向パルス発生手段の電源ラインに接続され、前記電源ラインの電圧が正常時の電圧と前記水平偏向パルス発生手段が水平偏向パルスの発生を停止する電圧との間の所定の電圧以下になることを検出する電圧検出手段と、
前記水平偏向用電源と前記水平偏向出力回路との間に挿入され、前記電圧検出回路の検出結果に応じて前記水平偏向出力回路に供給される電源を遮断する電源遮断手段と、
を有することを特徴とする水平偏向出力回路の保護回路。
【請求項２】
水平偏向用のドライブパルスを発生する水平偏向パルス発生手段と、
前記水平偏向パルス発生手段により発生された水平偏向パルスに基づいて水平偏向信号を出力する水平偏向出力回路と、
前記水平偏向出力回路に高電圧を供給する水平偏向用電源と、
前記水平偏向パルス発生手段の電源ラインに接続され、前記電源ラインの電圧が正常時の電圧と前記水平偏向パルス発生手段が水平偏向パルスの発生を停止する電圧との間の所定の電圧以下になることを検出する電圧検出手段と、
前記水平偏向用電源と前記水平偏向出力回路との間に挿入され、前記水平偏向出力回路に供給する電源を断続するリレーと、
前記検出回路の検出結果に応じて動作する制御用トランジスタを含み、前記リレーを遮断動作させるリレー駆動手段と、
を有することを特徴とする水平偏向出力回路の保護回路。
【請求項３】
水平偏向用のドライブパルスを発生する水平偏向パルス発生手段と、
前記水平偏向パルス発生手段により発生された水平偏向パルスに基づいて水平偏向信号を出力する水平偏向出力回路と、
前記水平偏向出力回路に高電圧を供給する水平偏向用電源と、
前記水平偏向パルス発生手段の電源ラインに接続され、前記電源ラインの電圧が正常時の電圧と前記水平偏向パルス発生手段が水平偏向パルスの発生を停止する電圧との間の所定の電圧以下になることを検出する電圧検出手段と、
前記水平偏向用電源と前記水平偏向出力回路との間に挿入され、前記水平偏向出力回路に供給する電源を断続する遮断用トランジスタと、
前記検出回路の検出結果に応じて動作する制御用トランジスタを含み、前記遮断用トランジスタを遮断駆動させるトランジスタ駆動手段と、
を有することを特徴とする水平偏向出力回路の保護回路。
【請求項４】
水平偏向用のドライブパルスを発生する水平偏向パルス発生手段と、
前記水平偏向パルス発生手段により発生された水平偏向パルスに基づいて水平偏向信号を出力する水平偏向出力回路と、
前記水平偏向出力回路に高電圧を供給する水平偏向用電源と、
前記水平偏向パルス発生手段の電源ラインに接続され、前記電源ラインの電圧が正常時の電圧と前記水平偏向パルス発生手段が水平偏向パルスの発生を停止する電圧との間の所定の電圧以下になることを検出する電圧検出手段と、
前記水平偏向用電源と前記水平偏向出力回路との間に挿入され、前記水平偏向出力回路に供給する電源を断続するリレーと、
前記検出回路の検出結果に応じて動作する制御用電子スイッチを含み、前記リレーを遮断動作させるリレー駆動手段と、
を有することを特徴とする水平偏向出力回路の保護回路。
【請求項５】
水平偏向用のドライブパルスを発生する水平偏向パルス発生手段と、
前記水平偏向パルス発生手段により発生された水平偏向パルスに基づいて水平偏向信号を出力する水平偏向出力回路と、
前記水平偏向出力回路に高電圧を供給する水平偏向用電源と、
前記水平偏向パルス発生手段の電源ラインに接続され、前記電源ラインの電圧が正常時の電圧と前記水平偏向パルス発生手段が水平偏向パルスの発生を停止する電圧との間の所定の電圧以下になることを検出する電圧検出手段と、
前記水平偏向用電源と前記水平偏向出力回路との間に挿入され、前記水平偏向出力回路に供給する電源を断続する遮断用トランジスタと、
前記検出回路の検出結果に応じて動作する制御用電子スイッチを含み、前記遮断用トランジスタを遮断駆動させるトランジスタ駆動手段と、
を有することを特徴とする水平偏向出力回路の保護回路。
【発明の詳細な説明】
【０００１】
【発明の属する技術分野】
本発明は、テレビジョン受像機において用いられる水平偏向出力回路の保護回路に関するものである。
【０００２】
【従来の技術】
従来、テレビジョン受像機において、水平偏向出力回路の保護回路としては、例えば特開平８ー２３７５０５号のように回路の異常を内蔵マイクロコンピュータにて認識させ、その状態に応じて電源部の遮断制御を行うものが提案されている。テレビジョン受像機の電源をオフとする際に、テレビジョン受像機の主電源をオフとしたり、あるいはリモコンにて待機状態にするといった制御は、テレビジョン受像機の内蔵マイクロコンピュータにて認識できるため、それに応じた電源オフの制御ができる。
【０００３】
【発明が解決しようとする課題】
しかしながら停電時のように予期し得ない電源断状態に至った場合は、内蔵マイクロコンピュータの電源も落ちているため確実な制御ができなくなる。そこで電源の遮断後も一定時間の制御を確保するために、大容量のコンデンサを内蔵マイクロコンピュータ専用に設けるなどの対策が必要となってくる。しかるに大容量コンデンサによる電源の保持は信頼性が低いという欠点がある。
【０００４】
本発明はこのような問題点を解決するためになされたもので、大容量コンデンサによる微妙なタイミングに頼ることなく確実に制御を行えるようにすることを目的とする。
【０００５】
【課題を解決するための手段】
上記課題を解決するために本発明では、水平偏向用発振回路部の電源ラインに電圧検出回路を設け、発振回路部の発進が停止する電圧にまで落ちる前に水平偏向出力回路用電源の遮断を行うことにより、不安定な発振状態での動作を回避することができ、確実に、水平偏向出力回路の保護ができる。
【０００６】
本第１の発明は、水平偏向用のドライブパルスを発生する水平偏向パルス発生手段と、前記水平偏向パルス発生手段により発生された水平偏向パルスに基づいて水平偏向信号を出力する水平偏向出力回路と、前記水平偏向出力回路に高電圧を供給する水平偏向用電源と、前記水平偏向パルス発生手段の電源ラインに接続され、前記電源ラインの電圧が正常時の電圧と前記水平偏向パルス発生手段が水平偏向パルスの発生を停止する電圧との間の所定の電圧以下になることを検出する電圧検出手段と、前記水平偏向用電源と前記水平偏向出力回路との間に挿入され、前記電圧検出回路の検出結果に応じて前記水平偏向出力回路に供給される電源を遮断する電源遮断手段と、を有することを特徴とするものである。
【０００７】
本第２の発明は、水平偏向用のドライブパルスを発生する水平偏向パルス発生手段と、前記水平偏向パルス発生手段により発生された水平偏向パルスに基づいて水平偏向信号を出力する水平偏向出力回路と、前記水平偏向出力回路に高電圧を供給する水平偏向用電源と、前記水平偏向パルス発生手段の電源ラインに接続され、前記電源ラインの電圧が正常時の電圧と前記水平偏向パルス発生手段が水平偏向パルスの発生を停止する電圧との間の所定の電圧以下になることを検出する電圧検出手段と、前記水平偏向用電源と前記水平偏向出力回路との間に挿入され、前記水平偏向出力回路に供給する電源を断続するリレーと、前記検出回路の検出結果に応じて動作する制御用トランジスタを含み、前記リレーを遮断動作させるリレー駆動手段と、を有することを特徴とするものである。
【０００８】
本第３の発明は、水平偏向用のドライブパルスを発生する水平偏向パルス発生手段と、前記水平偏向パルス発生手段により発生された水平偏向パルスに基づいて水平偏向信号を出力する水平偏向出力回路と、前記水平偏向出力回路に高電圧を供給する水平偏向用電源と、前記水平偏向パルス発生手段の電源ラインに接続され、前記電源ラインの電圧が正常時の電圧と前記水平偏向パルス発生手段が水平偏向パルスの発生を停止する電圧との間の所定の電圧以下になることを検出する電圧検出手段と、水平偏向用電源と前記水平偏向出力回路との間に挿入され、前記水平偏向出力回路に供給する電源を断続する遮断用トランジスタと、前記検出回路の検出結果に応じて動作する制御用トランジスタを含み、前記遮断用トランジスタを遮断駆動させるトランジスタ駆動手段と、を有することを特徴とするものである。
【０００９】
本第４の発明は、水平偏向用のドライブパルスを発生する水平偏向パルス発生手段と、前記水平偏向パルス発生手段により発生された水平偏向パルスに基づいて水平偏向信号を出力する水平偏向出力回路と、前記水平偏向出力回路に高電圧を供給する水平偏向用電源と、前記水平偏向パルス発生手段の電源ラインに接続され、前記電源ラインの電圧が正常時の電圧と前記水平偏向パルス発生手段が水平偏向パルスの発生を停止する電圧との間の所定の電圧以下になることを検出する電圧検出手段と、前記水平偏向用電源と前記水平偏向出力回路との間に挿入され、前記水平偏向出力回路に供給する電源を断続するリレーと、前記検出回路の検出結果に応じて動作する制御用電子スイッチを含み、前記リレーを遮断動作させるリレー駆動手段と、を有することを特徴とするものである。
【００１０】
本第５の発明は、水平偏向用のドライブパルスを発生する水平偏向パルス発生手段と、前記水平偏向パルス発生手段により発生された水平偏向パルスに基づいて水平偏向信号を出力する水平偏向出力回路と、前記水平偏向出力回路に高電圧を供給する水平偏向用電源と、前記水平偏向パルス発生手段の電源ラインに接続され、前記電源ラインの電圧が正常時の電圧と前記水平偏向パルス発生手段が水平偏向パルスの発生を停止する電圧との間の所定の電圧以下になることを検出する電圧検出手段と、前記水平偏向用電源と前記水平偏向出力回路との間に挿入され、前記水平偏向出力回路に供給する電源を断続する遮断用トランジスタと、前記検出回路の検出結果に応じて動作する制御用電子スイッチを含み、前記遮断用トランジスタを遮断駆動させるトランジスタ駆動手段と、を有することを特徴とするものである。
【００１１】
【発明の実施の形態】
（実施の形態１）
図１は本発明にかかる実施の形態１による水平偏向出力回路の保護回路の概略構成図である。図１において、集積回路１は水平偏向用パルス発生手段１Ａを含んで構成されている。集積回路１には電源ライン２より電源が供給される。電源ライン２には電圧検出手段である検出回路３が接続される。検出回路３は電源ライン２の電圧の監視を行い、水平偏向パルス発生手段１Ａによる水平偏向パルスの発生が停止する電圧Ｖ１よりも少し高い閾値レベルＶrefまで電圧が低下したことを検出するものである。即ち正常時の電圧をＶ２とすると、Ｖ２＜Ｖref＜Ｖ１となるように設定する。又水平偏向パルス発生手段１Ａには水平偏向出力回路４が接続される。水平偏向出力回路４は発生した水平偏向パルスに基づいて、図示しないＣＲＴの水平偏向コイルを駆動するための水平偏向信号を出力するものである。水平偏向出力回路４は高圧の電源を要するため、電源６より電源遮断手段５を介して電源が供給される。電源遮断手段５は検出回路３から電圧の低下が検出されたときに、電源６から水平偏向出力回路４への高圧の電源の供給を遮断するものである。
【００１２】
このようにすれば通常時には電源ライン２の電圧が閾値以上のレベルであれば、検出回路３は電圧低下を検知しないため、水平偏向パルス発生手段１Ａより水平パルスが出力され、これに基づいて水平偏向出力回路４より水平偏向信号が出力される。そして電源ライン２の電圧が低下すると、水平偏向パルスの発生が停止する前に検出回路３によって電圧の低下が検出され、電源遮断手段５を介して水平偏向出力回路４に供給される高圧の電源供給が遮断される。こうすれば電圧低下時の不安定な動作を防止することができ、水平偏向出力回路を破壊から保護することができる。
【００１３】
（実施の形態２）
図２は本発明にかかる実施の形態２による水平偏向出力回路の保護回路の構成を示すブロック図であり、前述した実施の形態１と同一部分は同一符号を付して詳細な説明を省略する。この実施の形態では、電源６と水平偏向出力回路４との間にリレー７を接続する。又検出回路３の検出結果に応じて駆動されるトランジスタ９とこのトランジスタ９の動作によってリレー７を駆動するリレー駆動回路８を設ける。制御用トランジスタ９及びリレー駆動回路８は電源を遮断するリレー７を駆動するリレー駆動手段を構成している。
【００１４】
この実施の形態においても電源ライン２に供給される電圧が所定レベルであれば、検出回路３は電圧低下を検知しないため、水平偏向パルス発生手段１Ａより水平パルスが出力され、これに基づいて水平偏向出力回路４より水平偏向信号が出力される。そして電源ライン２の電圧が低下すると、水平偏向パルスの発生が停止する前に検出回路３によって電圧の低下が検出される。この場合はトランジスタ９が駆動され、リレー駆動回路８を介してリレー７が動作する。これによって電源６から水平偏向出力回路４への高圧の電源の供給が停止される。このため不安定な発振状態での動作を回避することができ、水平偏向出力回路４の破壊を防止することができる。
【００１５】
（実施の形態３）
図３は本発明にかかる実施の形態３による水平偏向出力回路の保護回路の構成を示すブロック図であり、前述した実施の形態１と同一部分は同一符号を付して詳細な説明を省略する。この実施の形態では、電源６と水平偏向出力回路４との間に電源遮断用のトランジスタ１０を接続する。又検出回路３の検出結果に応じて駆動されるトランジスタ９と、このトランジスタ９の動作によって遮断用トランジスタを駆動するための遮断用トランジスタ駆動回路１１を設ける。制御用トランジスタ及び遮断用トランジスタ駆動回路１１は遮断用トランジスタ１０を駆動するトランジスタ駆動手段を構成している。
【００１６】
この実施の形態においても電源ライン２に供給される電圧が所定レベルであれば、検出回路３は電圧低下を検知しないため、水平偏向パルス発生手段１Ａより水平パルスが出力され、これに基づいて水平偏向出力回路４より水平偏向信号が出力される。そして電源ライン２の電圧が低下すると、水平偏向パルスの発生が停止する前に検出回路３によって電圧の低下が検出され、制御用トランジスタ９が駆動される。この場合は遮断用トランジスタ駆動回路１１によってトランジスタ１０が駆動され、電源６から水平偏向出力回路４に供給される高圧の電源供給が遮断される。こうすれば電圧低下時の不安定な動作を防止することができ、水平偏向出力回路を破壊から防止することができる。
【００１７】
（実施の形態４）
図４は本発明にかかる実施の形態４による水平偏向出力回路の保護回路の構成を示すブロック図であり、前述した実施の形態１と同一部分は同一符号を付して詳細な説明を省略する。この実施の形態では、電源６と水平偏向出力回路４との間にリレー７を接続する。又検出回路３の検出結果に応じて動作する制御用電子スイッチ１２と、この制御用電子スイッチ１２によって駆動されるリレー駆動回路８を設ける。制御用電子スイッチ１２及びリレー駆動回路８は電源を遮断するリレー７を駆動するリレー駆動手段を構成している。
【００１８】
この実施の形態においても電源ライン２に供給される電圧が所定レベルであれば、検出回路３は電圧低下を検知しないため、水平偏向パルス発生手段１Ａより水平パルスが出力され、これに基づいて水平偏向出力回路４より水平偏向信号が出力される。そして電源ライン２の電圧が低下すると、水平偏向パルスの発生が停止する前に検出回路３によって電圧の低下が検出される。この場合は制御用電子スイッチ１２が駆動され、リレー駆動回路８を介してリレー７が動作する。これによって電源６から水平偏向出力回路４への高圧の電源の供給が停止される。このため不安定な発振状態での動作を回避することができ、水平偏向出力回路４の破壊を防止することができる。
【００１９】
（実施の形態５）
図５は本発明にかかる実施の形態５による水平偏向出力回路の保護回路の構成を示すブロック図であり、前述した実施の形態１と同一部分は同一符号を付して詳細な説明を省略する。この実施の形態では、電源６と水平偏向出力回路４との間に電源遮断用のトランジスタ１０を接続する。又検出回路３の検出結果に応じて駆動される制御用電子スイッチ１２と、この制御用電子スイッチ１２の動作によって遮断用トランジスタを駆動するための遮断用トランジスタ駆動回路１１を設ける。制御用電子スイッチ１２及び遮断用トランジスタ駆動回路１１は遮断用トランジスタ１０を駆動するトランジスタ駆動回路を構成している。
【００２０】
この実施の形態においても電源ライン２に供給される電圧が所定レベルであれば、検出回路３は電圧低下を検知しないため、水平偏向パルス発生手段１Ａより水平パルスが出力され、これに基づいて水平偏向出力回路４より水平偏向信号が出力される。そして電源ライン２の電圧が低下すると、水平偏向パルスの発生が停止する前に検出回路３によって電圧の低下が検出され、制御用電子スイッチ１２が駆動される。この場合は遮断用トランジスタ駆動回路１１によってトランジスタ１０が駆動され、電源６から水平偏向出力回路４に供給される高圧の電源供給が遮断される。こうすれば電圧低下時の不安定な動作を防止することができ、水平偏向出力回路を破壊から防止することができる。
【００２１】
【発明の効果】
以上詳細に説明したように本発明によれば、電源電圧の低下により水平偏向用パルスが発振しなくなる前に水平偏向出力回路の電源を遮断するため、不安定な発振状態での動作を回避することができ、水平偏向出力回路の破壊を回避することができるという効果が得られる。
【図面の簡単な説明】
【図１】本発明の実施の形態１を示す概略構成図である。
【図２】本発明の実施の形態２を示す概略構成図である。
【図３】本発明の実施の形態３を示す概略構成図である。
【図４】本発明の実施の形態４を示す概略構成図である。
【図５】本発明の実施の形態５を示す概略構成図である。
【符号の説明】
１  集積回路
１Ａ  水平偏向パルス発生手段
２  電源ライン
３  検出回路
４  水平偏向出力回路
５  電源遮断手段
６  電源
７  リレー
８  リレー駆動回路
９  制御用トランジスタ
１０  遮断用トランジスタ
１１  遮断用トランジスタ駆動回路
１２  制御用電子スイッチ
【図１】
0004144976.tif 000002
【図２】
0004144976.tif 000003
【図３】
0004144976.tif 000004
【図４】
0004144976.tif 000005
【図５】
0004144976.tif 000006